(57)【要約】  本文書に記載された技法は、第１の周波数範囲内でオーディオ出力を生成する少なくとも１つの第１の音響トランスデューサを囲むシートヘッドレストを含むシステムにおいて具現化され得る。システムはまた、シートヘッドレストの前に配置された調節可能なヘッドレストウィングであって、ヘッドレストウィングが、シートヘッドレストに枢動的に連結されており、かつ複数の位置のうちの１つに調節可能である、ヘッドレストウィングを含む。ヘッドレストウィングは、第１の周波数範囲の上端よりも高い周波数を含む第２の周波数範囲内でオーディオ出力を生成する少なくとも１つの第２の音響トランスデューサを含む。システムは、ヘッドレストウィングの所与の位置について、標的音響分布に従って、（ｉ）第１の音響トランスデューサ、及び（ｉｉ）第２の音響トランスデューサのうちの少なくとも１つの１つ以上のパラメータを調節するように構成されているコントローラを更に含む。
2019532557.tif 000002
【特許請求の範囲】
【請求項１】
システムであって、
第１の周波数範囲内でオーディオ出力を生成する少なくとも１つの第１の音響トランスデューサを囲むシートヘッドレストと、
前記シートヘッドレストの前に配置された調節可能なヘッドレストウィングであって、前記ヘッドレストウィングが、前記シートヘッドレストに枢動的に連結されており、かつ複数の位置のうちの１つに調節可能であり、前記ヘッドレストウィングが、前記第１の周波数範囲の上端よりも高い周波数を含む第２の周波数範囲内でオーディオ出力を生成する少なくとも１つの第２の音響トランスデューサを備える、ヘッドレストウィングと、
前記ヘッドレストウィングの所与の位置について、標的音響分布に従って、（ｉ）前記第１の音響トランスデューサ、及び（ｉｉ）前記第２の音響トランスデューサのうちの少なくとも１つの１つ以上のパラメータを調節するように構成されているコントローラと、を備える、システム。
【請求項２】
前記第１の音響トランスデューサが、中間範囲ドライバである、請求項１に記載のシステム。
【請求項３】
前記第２の音響トランスデューサが、ツイータである、請求項１に記載のシステム。
【請求項４】
前記ヘッドレストウィングの前記所与の位置を検出するセンサを更に備える、請求項１に記載のシステム。
【請求項５】
前記１つ以上のパラメータが、利得及び位相のうちの少なくとも１つを含む、請求項１に記載のシステム。
【請求項６】
前記１つ以上のパラメータが、ビーム形成プロセスに従って判定される、請求項５に記載のシステム。
【請求項７】
前記少なくとも１つのパラメータが、等化パラメータを含む、請求項１に記載のシステム。
【請求項８】
前記コントローラが、前記対応するトランスデューサのための標的スペクトル補正を達成するために、前記等化パラメータを判定するように構成されている、請求項７に記載のシステム。
【請求項９】
前記コントローラが、前記第１及び第２の周波数範囲に入力信号を分割するためのクロスオーバーフィルタを備える、請求項１に記載のシステム。
【請求項１０】
方法であって、
シートヘッドレストに枢動的に連結された調節可能なヘッドレストウィングの特定の位置を示す情報を受信することと、
前記ヘッドレストウィングの前記特定の位置について、コントローラによって、（ｉ）前記シートヘッドレスト内に配置された第１の音響トランスデューサ及び（ｉｉ）前記調節可能なヘッドレストウィング内に配置された第２の音響トランスデューサのうちの少なくとも１つの出力についての１つ以上のパラメータを判定することであって、前記１つ以上のパラメータが、標的音響分布に従って判定される、判定することと、
前記１つ以上のパラメータに従って、前記第１及び第２の音響トランスデューサのうちの少なくとも１つの出力を調節することと、を含む、方法。
【請求項１１】
前記第１の音響トランスデューサが、中間範囲ドライバである、請求項１０に記載の方法。
【請求項１２】
前記第２の音響トランスデューサが、ツイータである、請求項１０に記載の方法。
【請求項１３】
前記特定の位置を示す前記情報が、前記調節可能なヘッドレストウィングの位置を検出するように構成されているセンサから受信される、請求項１０に記載の方法。
【請求項１４】
前記１つ以上のパラメータが、利得及び位相のうちの少なくとも１つを含む、請求項１０に記載の方法。
【請求項１５】
前記１つ以上のパラメータが、ビーム形成プロセスに従って判定される、請求項１４に記載の方法。
【請求項１６】
前記少なくとも１つのパラメータが、等化パラメータを含む、請求項１０に記載の方法。
【請求項１７】
前記等化パラメータが、前記対応するトランスデューサのための標的スペクトル補正を達成するために判定される、請求項１６に記載の方法。
【請求項１８】
１つ以上の機械可読記憶デバイスであって、１つ以上のプロセッサに、
シートヘッドレストに枢軸によって連結された調節可能なヘッドレストウィングの特定の位置を示す情報を受信することであって、前記特定の位置が、前記枢軸の周りの角度範囲内の複数の位置のうちの１つである、受信することと、
前記ヘッドレストウィングの前記特定の位置について、（ｉ）前記シートヘッドレスト内に配置された第１の音響トランスデューサ及び（ｉｉ）前記調節可能なヘッドレストウィング内に配置された第２の音響トランスデューサのうちの少なくとも１つの出力についての１つ以上のパラメータを判定することであって、前記１つ以上のパラメータが、標的音響分布に従って判定される、判定することと、
前記１つ以上のパラメータに従って、前記第１及び第２の音響トランスデューサのうちの少なくとも１つを調節することと、を含む動作を実施させるための、その上にコード化されたコンピュータ可読命令を有する、１つ以上の機械可読記憶デバイス。
【請求項１９】
前記第１の音響トランスデューサが、中間範囲ドライバであり、かつ前記第２の音響トランスデューサが、ツイータである、請求項１８に記載の１つ以上の機械可読記憶デバイス。
【請求項２０】
前記１つ以上のパラメータが、（ｉ）ビーム形成プロセスに従って判定された利得、及び（ｉｉ）前記対応するトランスデューサのための標的スペクトル補正を達成するために判定された等化パラメータのうちの少なくとも１つを含む、請求項１８に記載の１つ以上の機械可読記憶デバイス。
【請求項２１】
システムであって、
シートヘッドレストと、
前記シートヘッドレストの前に配置された調節可能なヘッドレストウィングであって、前記ヘッドレストウィングが、前記シートヘッドレストに枢動的に連結されており、かつ複数の位置のうちの１つに調節可能である、ヘッドレストウィングと、
前記シートヘッドレスト内に配置された少なくとも１つの音響トランスデューサであって、前記少なくとも１つの音響トランスデューサが、前記音響トランスデューサと前記シートヘッドレストの外面との間に配置された対応する音響チャネルを通して音響出力を放出するように構成されている、少なくとも１つの音響トランスデューサと、
前記ヘッドレストウィングの所与の位置について、標的音響分布に従って、前記少なくとも１つの音響トランスデューサの１つ以上のパラメータを調節するように構成されているコントローラと、を備える、システム。
【請求項２２】
前記ヘッドレストウィングの前記所与の位置を検出するセンサを更に備える、請求項２１に記載のシステム。
【請求項２３】
前記１つ以上のパラメータが、利得及び位相のうちの少なくとも１つを含む、請求項２１に記載のシステム。
【請求項２４】
前記１つ以上のパラメータが、ビーム形成プロセスに従って判定される、請求項２３に記載のシステム。
【請求項２５】
前記少なくとも１つのパラメータが、等化パラメータを含む、請求項２１に記載のシステム。
【請求項２６】
前記コントローラが、前記対応するトランスデューサのための標的スペクトル補正を達成するために、前記等化パラメータを判定するように構成されている、請求項２５に記載のシステム。
【発明の詳細な説明】
【技術分野】
【０００１】
本開示は、概して、スピーカなどの音響出力デバイスを含むシートに関する。
【背景技術】
【０００２】
車両シート内で使用されるヘッドレストは、近方場音響経験を供給するためのスピーカを含み得る。
【発明の概要】
【０００３】
一態様では、本文書は、第１の周波数範囲内でオーディオ出力を生成する少なくとも１つの第１の音響トランスデューサを囲むシートヘッドレストを含むシステムを特徴とする。システムはまた、シートヘッドレストの前に配置された調節可能なヘッドレストウィングであって、ヘッドレストウィングが、シートヘッドレストに枢動的に連結されており、かつ複数の位置のうちの１つに調節可能である、ヘッドレストウィングを含む。ヘッドレストウィングは、第１の周波数範囲の上端よりも高い周波数を含む第２の周波数範囲内でオーディオ出力を生成する少なくとも１つの第２の音響トランスデューサを含む。システムは、ヘッドレストウィングの所与の位置について、標的音響分布に従って、（ｉ）第１の音響トランスデューサ、及び（ｉｉ）第２の音響トランスデューサのうちの少なくとも１つの１つ以上のパラメータを調節するように構成されているコントローラを更に含む。
【０００４】
別の態様では、本文書は、方法であって、シートヘッドレストに枢動的に連結された調節可能なヘッドレストウィングの特定の位置を示す情報を受信することと、ヘッドレストウィングの特定の位置について、コントローラによって、（ｉ）シートヘッドレスト内に配置された第１の音響トランスデューサ、及び（ｉｉ）調節可能なヘッドレストウィング内に配置された第２の音響トランスデューサのうちの少なくとも１つの出力についての１つ以上のパラメータを判定することと、を含む、方法を特徴とする。１つ以上のパラメータは、標的音響分布に従って判定される。方法はまた、１つ以上のパラメータに従って、第１及び第２の音響トランスデューサのうちの少なくとも１つの出力を調節することを含む。
【０００５】
別の態様では、本文書は、１つ以上の機械可読記憶デバイスであって、１つ以上のプロセッサに、様々な動作を実施させるための、その上にコード化されたコンピュータ可読命令を有する、１つ以上の機械可読記憶デバイスを特徴とする。動作は、シートヘッドレストに枢動的に連結された調節可能なヘッドレストウィングの特定の位置を示す情報を受信することと、ヘッドレストウィングの特定の位置について、（ｉ）シートヘッドレスト内に配置された第１の音響トランスデューサ、及び（ｉｉ）調節可能なヘッドレストウィング内に配置された第２の音響トランスデューサのうちの少なくとも１つの出力についての１つ以上のパラメータを判定することと、を含む。１つ以上のパラメータは、標的音響分布に従って判定される。動作はまた、１つ以上のパラメータに従って、第１及び第２の音響トランスデューサのうちの少なくとも１つの出力を調節することを含む。
【０００６】
別の態様では、本文書は、シートヘッドレストと、シートヘッドレストの前に配置された調節可能なヘッドレストウィングと、を含む、システムを特徴とする。ヘッドレストウィングは、シートヘッドレストに枢動的に連結されており、かつ複数の位置のうちの１つに調節可能である。システムは、シートヘッドレスト内に配置された少なくとも１つの音響トランスデューサであって、少なくとも１つの音響トランスデューサが、音響トランスデューサとシートヘッドレストの外面との間に配置された対応する音響チャネルを通して音響出力を放出するように構成されている、少なくとも１つの音響トランスデューサを含む。システムはまた、ヘッドレストウィングの所与の位置について、標的音響分布に従って、少なくとも１つの音響トランスデューサの１つ以上のパラメータを調節するように構成されているコントローラを含む。
【０００７】
上記の態様は、以下の特性のうちの１つ以上を含むことができる。
【０００８】
第１の音響トランスデューサは、中間範囲ドライバであり得る。第２の音響トランスデューサは、ツイータであり得る。センサは、ヘッドレストウィングの所与の位置を検出するために使用され得る。１つ以上のパラメータは、利得及び位相のうちの少なくとも１つを含む。１つ以上のパラメータは、ビーム形成プロセスに従って判定され得る。少なくとも１つのパラメータは、等化パラメータを含み得る。コントローラは、対応するトランスデューサのための標的スペクトル補正を達成するために、等化パラメータを判定するように構成され得る。コントローラは、第１及び第２の周波数範囲に入力信号を分割するためのクロスオーバーフィルタを含み得る。
【０００９】
上記の態様の実装は、以下の特性のうちの１つ以上を含むことができる。
【００１０】
本明細書に記載される様々な実装は、以下の利点のうちの１つ以上を提供し得る。車両シートのヘッドレストウィング内に配置された高周波音響トランスデューサ（例えば、ツイータ）は、乗員の耳に短い音響的指向性経路を提供し得る。いくつかの場合では、ヘッドレスト内に配置された１つ以上の他の音響トランスデューサ（例えば、中間範囲ドライバ）とこれを組み合わせることは、車両オーディオシステムに関する近方場音響効果を改善し得る。中間範囲ドライバなどの他のトランスデューサと共にツイータをヘッドレスト内に置くことによって、ヘッドレストトランスデューサを通して供給され得る音響信号の帯域幅は、増加され得る。ヘッドレスト内に配置された音響トランスデューサと関連付けられた１つ以上の等化パラメータを制御することによって、音響出力の有意な程度の制御が達成され得、それは、次に、結果として改善された使用者経験をもたらし得る。例えば、ヘッドレストウィングの位置に基づいて、利得及び他の等化パラメータ（例えば、位相等化）を調節することは、ヘッドレストウィングの位置が変更されるとき、音響経験が乗員にとって実質的に不変のままであることを可能にし得る。いくつかの場合では、本明細書に記載される技法はまた、他のシートに関して遮音を改善して、それによって、１つのシートの乗員が、他のシートへの／からの有意な漏れを伴わずに、オーディオコンテンツを聴取することを可能にする。これはまた、次に、オーディオコンテンツの増加した個人化を可能にし、それによってシートの乗員にとっての聴取経験を更に改善し得る。
【００１１】
本概要の項に記載される特性を含む、本開示に記載される特性の２つ以上は、特に本明細書に記載されない実装を形成するために組み合わされ得る。
【００１２】
１つ以上の実装の詳細は、添付図面及び以下の説明において述べられる。他の特性、目的、及び利点は、明細書及び図面から、並びに特許請求の範囲から明らかになるであろう。
【図面の簡単な説明】
【００１３】
【図１】ウィングを有するヘッドレストの斜視図である。
【図２Ａ】各々、ヘッドレストハウジング内に、また、ヘッドレストの前に配置された調節可能なヘッドレストウィング内に配置された音響トランスデューサを含むヘッドレストの例の頂部断面図である。
【図２Ｂ】各々、ヘッドレストハウジング内に、また、ヘッドレストの前に配置された調節可能なヘッドレストウィング内に配置された音響トランスデューサを含むヘッドレストの例の頂部断面図である。
【図３Ａ】シートヘッドレスト内に配置された複数の音響トランスデューサと関連付けられた例示の回路のブロック図であり、回路は、能動的クロスオーバーフィルタを含む。
【図３Ｂ】シートヘッドレスト内に配置された複数の音響トランスデューサと関連付けられた例示の回路のブロック図であり、回路は、受動的クロスオーバーフィルタを含む。
【図４】シートヘッドレスト内に配置された音響トランスデューサを制御するための例示のプロセスのフローチャートである。
【発明を実施するための形態】
【００１４】
車両シート（例えば、車、トラック、バス、電車、航空機、ボート、又は他の車両で使用されるシート）は、近方場音響経験を供給するための音響トランスデューサ又はスピーカを付設し得る。いくつかの場合では、スピーカがシートの乗員の耳に近接して、没入型かつ潜在的に個人化された音響経験を提供するように、スピーカは、シート内に付設される。車両シートのヘッドレストは、多くの場合、一方又は両方の側に調節可能な、実質的に横方向の突起を含む。ウィングとも称されるこれらの突起は、例えば、快適な位置で乗員の頭部を支持するように、（例えば、手動で、又は電子制御信号を介して）異なる位置に調節され得る。本文書に記載される技法は、音響トランスデューサアセンブリの一部が、そのようなウィング内に配置されることを可能にする。例えば、中間範囲周波数帯域内でオーディオを出力する音響トランスデューサ（例えば、スピーカ又はドライバ）は、ヘッドレストの本体内に配置され得るが、比較的より高い周波数ドライバ（例えば、ツイータ）は、調節可能なウィング内に配置され得る。いくつかの場合では、近傍場長がより高い周波数に対してより短いので、調節可能なウィング内に高周波ドライバを配置することは、シートの乗員に、没入型かつ高品質音響経験を提供し得る。いくつかの実装では、音響トランスデューサのうちの１つ以上の音響出力は、例えば、ウィングの異なる位置のために実質的に均一な音響経験を乗員に提供するように、ウィングの立場に基づいて調節され得る。例えば、乗員が新しい位置にウィングを調節する場合、乗員の耳とヘッドレストの１つ以上の音響トランスデューサとの間の音響経路の伝達関数は変化され得る。したがって、対応する音響出力と関連付けられた１つ以上の信号処理パラメータ（例えば、利得）は、そのような伝達関数に対する変化を説明するように調節され得る。いくつかの実装では、これは、ヘッドレストウィングの異なる位置に関して乗員にとって実質的に均一な聴取経験を維持するために使用され得る。したがって、いくつかの場合では、本技法は、有意な程度の制御で生成及び供給され得る高品質オーディオを提供することによって車両の音響効果を改善し得る。本文書は、技法を例示するために、車両シートヘッドレストの例を主に使用する。しかしながら、本技法は、本明細書に記載される様式で取り付けられたスピーカを有し得る他の種類の音響的に使用可能なシート又は家具に適用可能であり得る。例えば、本技法は、スピーカを付設したマッサージ椅子、ソファー、リクライナ、テーブル、ゲーム椅子、劇場シート、又はベッドで使用され得る。
【００１５】
図１は、音響トランスデューサ又はスピーカを組み込むヘッドレスト１００の例を例示する。スピーカは、ヘッドレストのハウジング内に配置されて、スピーカが直接使用者の頭部の後にあるように位置決めされて、ヘッドレスト１００の両側の拡散方向に外方に発散し得る。いくつかの場合では、スピーカからの音響出力は、ヘッドレスト（又はヘッドレストウィング）の外面に配置された開口１０２を有する音響チャネルを通してヘッドレスト１００から放出され得る。
【００１６】
支持ロッド１０４（バーとも称され得る）は、車両シートの背もたれ１５４上にヘッドレストを取り付けるために使用され得る。図１は２つの支持ロッド１０４を表すが、支持ロッドの数は他の実装では異なり得る。例えば、ヘッドレスト１００は、単一の支持ロッド１０４を使用して、背もたれ１５４上に取り付けられ得る。別の例では、ヘッドレスト１００は、３つ以上の支持ロッド１０４を使用して、背もたれ１５４上に取り付けられ得る。ヘッドレスト１００は、ヘッドレストが調節可能範囲にわたる異なる位置に背もたれに関して移動可能であるように、背もたれ１５４上に取り付けられ得る。例えば、１つ以上の支持ロッド１０４の長さに応じて、ヘッドレスト１００は、乗員の頭部を支持するために、異なる高さに上下に移動され得る。一旦乗員にとって好適な高さに調節されると、ヘッドレスト１００は、例えば、その特定の高さで、ロック機構を使用して固定され得る。
【００１７】
いくつかの実装では、ヘッドレストは、ヘッドレスト１００の一方又は両方の側に、調節可能な突起又はウィング１６０を含み得る。調節可能なウィング１６０は、横方向移動に対して乗員の頭部を支持するように、ヘッドレスト１００に関して調節され得る。例えば、ウィング１６０は、横方向移動に対して乗員の頭部を支持する位置に（例えば、対応する軸又はヒンジ１６５上で）ヘッドレスト１００に関して角度をなして前に移動され得る。ウィングがヘッドレスト１００の残部と実質的に同じ平面上にあるように、ウィングはまた、ヘッドレスト１００に関して角度をなして後方に移動され得る。
【００１８】
いくつかの実装では、ヘッドレストウィングは、シートヘッドレストの前でシートヘッドレストに枢動的に連結され得る。そのようなヘッドレスト２００及び２５０の例は、それぞれ、図２Ａ及び２Ｂに示される。具体的には、図２Ａ及び２Ｂの各々は、ヘッドレストハウジング内に、また、ヘッドレストの前に配置された調節可能なヘッドレストウィング内に配置された音響トランスデューサを含むヘッドレストの例の頂部断面図を示す。図２Ａの例では、ヘッドレスト２００は、ヘッドレストハウジング２１０の前に配置された２つのウィング２０５を含む。ウィング２０５が角度範囲内の複数の位置のうちの１つに調節可能であるように、ウィング２０５の各々は、対応する枢軸２０７においてヘッドレストハウジング２１０に連結される。例えば、ウィング２０５の各々は、対応する軸又は枢軸２０７に関して角度範囲にわたって回転され得る。ウィング２０５が、ヘッドレストのハウジング２１０に関して様々な位置のうちの１つに移動され得るように、軸又は枢軸２０７は、ハウジング２１０に関して静止し得る。図２はウィング２０５の各々に対する専用の枢軸２０７を表すが、ヘッドレストハウジング２１０に関してウィングを移動させる他の機構（例えば、ウィング内のヒンジ、リビングヒンジ、又は軟質材料）はまた、使用され得る。いくつかの実装では、角度範囲は、約４５°未満であり得る。例えば、いくつかのヘッドレスト２００は、ウィング２０５が０°〜３０°の角度範囲の位置に回転され得るように設計され得る。ウィング２０５は、例えば、乗員の手によって手動で調節可能であるか、又は電子制御信号によって調節可能であり得る。
【００１９】
いくつかの実装では、そのような枢動的に連結されたウィングの寸法は、中間範囲ドライバ又はスピーカ（例えば、１００Ｈｚ〜１ｋＨｚの周波数範囲で、オーディオ出力を生成するスピーカ）などの大きな音響トランスデューサを適合するのに十分でない場合がある。そのような場合、中間範囲ドライバ２１５は、ヘッドレストハウジング２１０内に配置されて、ヘッドレストハウジング２１０上に出口を有するそれぞれの音響チャネル２２０を通してそれらの音響出力を放出するように構成され得る。しかしながら、より小さい音響トランスデューサ（例えば、比較的より高い周波数で音響出力を生成するツイータ）は、ヘッドレストウィング内に配置され得る。図２の例は、各々のウィング２０５内に配置された高周波数ドライバ２２５を示す。高周波ドライバ２２５はまた、ツイータ又は三重スピーカと称され得、典型的には、２ｋＨｚ〜２０ｋＨｚで、高いオーディオ周波数を発生するように構成され得る。いくつかの実装では、高周波数ドライバは、２ｋＨｚ〜２０ｋＨｚの範囲外の周波数に対応するオーディオ出力を生成するように構成され得る。例えば、高周波数ドライバ２２５は、約８００Ｈｚ以上の周波数に対応する音声出力を生成するように構成され得る。
【００２０】
中間範囲ドライバ２１５は、様々な方法でヘッドレストハウジング２１０内に配置され得る。いくつかの実装では（例えば、図２Ａに示されるように）、ドライバの中心軸が互いに約９０°の角度を形成し、及び／又は、対応する音響チャネル２２０が、ヘッドレストハウジング２１０の側に出口を有するように、中間範囲ドライバ２２０は配置され得る。いくつかの実装では、中間範囲ドライバは、他の角度（例えば、図２Ｂに示されるように、互いに約７０°）で配置され得、及び／又は、対応する音響チャネル２２０は、ヘッドレストハウジング２１０の前部に実質的に配置された出口を有し得る。音響チャネルの出口は、ヘッドレストウィング２１５に関して様々な角度及び／又は空間関係で配置され得る。例えば、音響チャネルの出口は、ヘッドレストウィング２０５の少なくとも一部の後に（例えば、図２Ａに示されるように）、又はヘッドレストウィング２０５に隣接して（例えば、図２Ｂに示されるように）配置され得る。
【００２１】
たとえ図２Ａが各々のウィング２０５内で１つのみの高周波ドライバ２２５を示すとしても、追加の高周波ドライバは、ウィング２０５内に配置され得る。例えば、ウィング２０５は、ツイータのアレイなどの高周波ドライバのアレイを含み得る。いくつかの実装では、ウィングのうちの一方における１つ以上の高周波ドライバ２２５は、他方のウィングにおける１つ以上の高周波ドライバ２２５と異なり得る。いくつかの実装では、増幅器、プロセッサ、デジタル信号プロセッサ（ＤＳＰ）、センサなどのうちの１つ以上などの他の音響素子はまた、ウィング２０５又はハウジング２１０のうちの１つの中に配置され得る。
【００２２】
いくつかの場合では、中間範囲ドライバ２１５及び高周波数ドライバ２２５の相対的位置決めは、結果として得られる音響分布に関して障害を生じ得る。例えば、ヘッドレストハウジング２１０に埋設された中間範囲ドライバ２１５の構成は、いくつかの場合では、結果として、それぞれ、中間範囲ドライバ２１５及び高周波数ドライバ２２５によって発生された音響エネルギーの不均衡な比率をもたらし得る。加えて、異なる位置にヘッドレストウィング２０５を調節することは、中間範囲及び高周波ドライバの相対的空間分布を変化させて、それによって、ドライバとシートの乗員との間の音響経路（及び結果的に関連付けられた伝達関数）を変化させ得る。
【００２３】
いくつかの実装では、本明細書に記載される技法は、例えば、ウィングの位置を検出することに基づいて、様々な音響トランスデューサと関連付けられた１つ以上のパラメータを自動的に調節することを容易にする。そのような調節は、伝達関数に変化を説明し得、いくつかの場合では、結果として、中間範囲ドライバ２１５及び高周波ドライバ２２５の様々な相対位置にわたる乗員のためのより一貫した聴取経験をもたらし得る。
【００２４】
図３Ａは、シートヘッドレスト内に配置された複数の音響トランスデューサと関連付けられた例示の回路３００のブロック図である。図３Ａの例では、ソース３０５からの信号は、左信号及び右信号と称される２つの部品に分割される。いくつかの実装では、左信号及び右信号は、ステレオシステムの左チャネルオーディオ及び右チャネルオーディオに対応し得る。部品の各々は、次いで、対応する出力が、一組の中間範囲ドライバ２１５及び高周波数ドライバ２２５を通して生成されるように、回路の別個の分岐に提供される。回路３００の２つの中間範囲ドライバ２１５は、例えば、図２の例に描写されるように、対応するオーディオ出力がヘッドレストの２つの側から放出されるように配置され得る。２つの高周波ドライバ２２５は、例えば、図２の例に描写されるように、ヘッドレストの２つの調節可能なウィング内に配置され得る。
【００２５】
図３Ａの例では、回路３００は、左チャネルオーディオ及び右チャネルオーディオに対する分岐の各々において能動的クロスオーバーフィルタ３１０を含む。クロスオーバーフィルタ（オーディオクロスオーバーとしても知られる）は、それらの帯域に対するオーディオ出力を生成することができる対応する音響トランスデューサに別途経路決めされ得る２つ以上の周波数帯域に入力信号を分割するためにオーディオ用途において使用される電子フィルタ（アナログ又はデジタル）である。クロスオーバーフィルタは、能動型又は受動型であり得る。能動的クロスオーバーフィルタは、増幅の前に入力信号を分割して、追加の信号処理（例えば、振幅限度、遅延、及び等化パラメータを導入することを含む）を実施するように構成され得る。一方で、受動的クロスオーバーフィルタは、増幅の後、入力信号を分割するように構成されて、例えば、コンデンサ及び誘導器などの受動回路素子で実装され得る。左信号経路及び右信号経路のためのクロスオーバーフィルタ３１０は、互いに独立して構成され得る。例えば、左信号経路におけるクロスオーバーフィルタ３１０の係数は、右信号経路におけるクロスオーバーフィルタ３１０の係数の選択と独立して選択され得る。いくつかの実装では、異なる種類のクロスオーバーフィルタは、２つの経路のために選択され得る。例えば、一方の経路は、能動的クロスオーバーフィルタを有し得るが、他方の経路は、受動的クロスオーバーフィルタを有する。
【００２６】
図３Ａに示される例では、能動的クロスオーバーフィルタ３１０は、それぞれ、中間範囲ドライバ２１５及び高周波ドライバ２２５に対する第１の周波数範囲又は帯域及び第２の周波数範囲又は帯域に、入力信号を分割するように構成され得る。第１及び第２の周波数帯域との部分的重複がある場合もあれば、ない場合もある。いずれの場合も、第２の周波数帯域は、第１の周波数範囲の上端よりも高い、少なくともいくつかの周波数を含む。いくつかの実装では、能動的クロスオーバーフィルタ３１０は、低中間周波数範囲（例えば、対応するドライバ及びオーディオ信号が指向性になり始める閾値未満の周波数、例えば、８００Ｈｚ）における信号成分を中間範囲ドライバ２１５に経路決めし、かつ中間高周波数範囲（例えば、８００Ｈｚ〜２０ｋＨｚ）における信号成分を高周波ドライバ２２５に経路決めするように構成され得る。いくつかの実装では、高周波駆動器２２５からのオーディオ出力は、実質的に指向性である。したがって、ヘッドレストウィング内にそのようなドライバを位置決めすることは、ビーム形成などの追加の処理を伴わずに、出力が、シートの乗員の耳に指向されることを可能にし得る。いくつかの実装では、オーディオ出力が異なるシートの乗員の音響経験を大幅に干渉しないように、そのような指向性オーディオ出力の利得は、制御され得る。
【００２７】
いくつかの実装では、中間範囲ドライバ２２５及び／又は対応する高周波ドライバ２２５の１つ以上のパラメータ（例えば、利得、等化パラメータなど）は、ウィングの位置に基づいて動的に調節されて、ドライバの相対位置の結果として得られる変化に起因する変化（例えば、関連付けられた音響経路の伝達関数への変化として、例えば、明示されるスペクトル特性の変化）に適合する。いくつかの実装では、回路３００は、オーディオチャネルの各々に対するイコライザー３１５を含み、イコライザー３１５は、信号がクロスオーバーフィルタ３１０によって処理される前に、信号の１つ以上のパラメータを調節するように構成されている。したがって、イコライザー３１５は、特定のオーディオチャネル経路の両方のドライバ２１５及び２２５に適用可能な調節を実装するために使用され得る。いくつかの実装では、調節は、例えば、ウィング位置に関係なく一貫した聴取経験を確実にすることを補助するために、対応するヘッドレストウィングの位置に基づいて行われ得る。
【００２８】
いくつかの実装では、回路３００はまた、個々のドライバに信号を調節するための１つ以上の追加のイコライザーを含み得る。例えば、高周波数ドライバ２２５への信号は、イコライザー３２０によって処理され得、及び／又は、中間範囲ドライバ２１５への信号は、イコライザー３２５によって処理され得る。例えば、イコライザー３２５は、（例えば、ヘッドレストの他の中間範囲ドライバ２１５に連動して）所望のビーム形成パターンを得て、調節可能なウィングの各々の位置の両耳間レベル差を維持するために、ウィング位置に基づいて対応する中間範囲スピーカの出力を調節するために使用され得る。いくつかの場合では、高周波数ドライバ２２５の出力が既に十分に指向性であり得るので、対応するイコライザー３２０は、対応するヘッドレストウィングの位置に基づいて、（例えば、ビーム形成プロセスを使用することなく）利得を調節するために使用され得る。いくつかの実装では、イコライザー３２０及び／又は３２５は、対応する周波数帯域内でスペクトル補正を実施するために使用され得る。いくつかの実装では、イコライザー３１５を使用して実施される調節の少なくとも一部は、いくつかの場合では、イコライザー３１５の必要性を除去し得るイコライザー３２０及び３２５を使用して行われ得る。いくつかの実装では、中間範囲及び高周波ドライバとの帯域幅重複がある場合、イコライザー３２０及び３２５は、標的ビームパターンを達成するために組み合わせて使用され得る。そのような場合、イコライザー３２０及び３２５は、例えば、ウィングの位置に基づいて、動的に調節されて、対応する標的ビームパターンを達成し得る。いくつかの実装では、ウィングのための所与の組の位置の標的ビームパターンは、例えば、標的シート内経験、他の乗員へのエネルギー漏れの閾値レベル、又はそれらの両方の組み合わせを含む１つ以上の設計パラメータに従って設定され得る。
【００２９】
いくつかの実装では、回路３００は、音響トランスデューサに接続された出力経路上で信号を増幅するための増幅器３３０を含む。図３Ａの例では、回路は、中間範囲及び高周波音響トランスデューサ（２１５、２２５）の各々の組に対する能動的クロスオーバーフィルタ３１０を含み、クロスオーバーフィルタ３１０から出る各々の出力経路は、対応する音響トランスデューサと関連付けられた増幅器３３０を含む。
【００３０】
いくつかの実装では、単一増幅器は、中間範囲及び高周波音響トランスデューサの各々の組に対する信号を増幅するために使用され得る。これは、受動的クロスオーバーフィルタ３５５を含むようにシートヘッドレスト内に配置された複数の音響トランスデューサと関連付けられた回路３５０を示す図３Ｂの例に例示される。能動的クロスオーバーフィルタ３１０と対照的に、受動的クロスオーバーフィルタは、増幅器３３０と対応する音響トランスデューサとの間など、対応する増幅器３３０の下流の信号経路内に配置される。図３Ｂに示される例では、クロスオーバーフィルタ３５５の各々は、増幅器３３０と対応する高周波ドライバ２２５との間のコンデンサ３６０、増幅器と対応する中間範囲ドライバ２３０との間の誘導器３６５などの受動素子を含む。図３Ｂに示される特定の受動的クロスオーバーフィルタ３５５は、図示の目的のために示され、受動的クロスオーバーフィルタの他の構成も可能である。例えば、抵抗器及び／又は他のコンデンサ若しくは誘導器などの１つ以上の追加の受動部品は、受動的クロスオーバーフィルタを実装する際に使用され得る。
【００３１】
図４は、シートヘッドレスト内に配置された音響トランスデューサを制御するための例示のプロセス４００のフローチャートである。プロセス４００の動作の少なくとも一部は、車両シートの音響システムと連通して配置された１つ以上の処理デバイス（例えば、コントローラ、マイクロプロセッサ、又はデジタル信号プロセッサ（ＤＳＰ））によって実施され得る。プロセス４００の動作は、シートヘッドレストに枢動的に連結された調節可能なヘッドレストウィングの特定の位置を示す情報を受信することを含む（４１０）。１つ以上の座標系、基準点などは、ウィングの位置を表すために使用され得る。調節可能なウィングは、上述のヘッドレストウィング２０５と実質的に類似し得る。いくつかの実装では、入力信号は、シートヘッドレスト（例えば、ヘッドレスト２００）内に配置されたセンサから受信され得る。そのようなセンサは、例えば、ヘッドレストウィングの現在の構成と関連付けられた角度範囲内の複数の位置のうちの１つを検出して、特定の位置を示す情報を含む信号を生成するように構成され得る。電子的に／モータ制御されたウィングの場合、ウィング位置（複数可）を示す情報は、（例えば、データバスを通して）制御している回路に伝送され得る。
【００３２】
プロセス４００の動作はまた、ヘッドレストウィングの特定の位置について、（ｉ）シートヘッドレスト内に配置された第１の音響トランスデューサ及び（ｉｉ）調節可能なヘッドレストウィング（４２０）内に配置された第２の音響トランスデューサのうちの少なくとも１つの出力の１つ以上のパラメータを判定することを含む。１つ以上のパラメータは、標的音響分布に従って判定され得る。いくつかの実装では、第１の音響トランスデューサは、上述のドライバ２１５などの中間範囲ドライバであり得、第２の音響トランスデューサは、上述のドライバ２２５などの高周波ドライバ（例えば、ツイータ）であり得る。
【００３３】
いくつかの実装では、１つ以上のパラメータは、対応する音響トランスデューサと関連付けられた利得を含む。例えば、ヘッドレストウィングが、乗員の耳のより近くに移動されるにつれて、高周波ドライバ２２５の利得は、低減され得る。利得は、例えば、ヘッドレストウィングの可動域にわたって均一な音響経験を供給することに関する事前コンパイルされた情報に基づいて判定され得るヘッドレストウィングの角度の関数（例えば、一次、二次、又は高次関数）として制御され得る。いくつかの実装では、利得は、ビーム形成プロセスに基づいて判定され得る。例えば、ヘッドレストの２つの中間範囲ドライバは、配列され得、標的音響分布がウィングの様々な位置のために達成されるように、ドライバの出力は、ビーム形成プロセスを介して操舵され得る。高周波ドライバ及び対応する音響出力が、典型的には、それらの上限周波数範囲で本質的に指向性であるので、ビーム形成は、通常、そのようなドライバに必要とされない。しかしながら、比較的低い周波数を支持するいくつかの高周波ドライバ（例えば、約８００Ｈｚの低さの周波数を支持するツイータ）について、出力は、ビーム形成プロセスを使用して操舵され得る。例えば、出力信号の波長が円錐直径と比較して小さい状況では、高周波ドライバの指向性は、より小さくてもよく、また、ビーム形成プロセスを介して改善され得る。
【００３４】
いくつかの実装では、１つ以上のパラメータは、ヘッドレストウィングの特定の位置に関する１つ以上の音響トランスデューサと関連付けられた等化パラメータを含み得る。そのような等化パラメータは、例えば、調節可能なウィングの特定の位置に関して、対応する音響トランスデューサと乗員の耳との間に形成された音響チャネルのスペクトル応答に依存し得る。いくつかの実装では、等化パラメータは、対応するトランスデューサのための標的スペクトル補正を達成するために判定され得る。
【００３５】
１つ以上のパラメータは、特定のシート又は乗員に対応する標的音響分布（例えば、ボリュームゾーン、特定の音プロファイルなど）に従って判定され得る。制御パラメータは、例えば、様々なウィング位置について経験的又は実験的に判定され得る。例えば、ヘッドレストウィングの様々な位置に対する乗員の耳の１つ以上での音響パラメータ（例えば、音の大きさのレベル）における変化は、実験的な設定において（定性的に又は定量的に）測定され得、対応する音響トランスデューサの１つ以上のパラメータは、様々なウィング位置に対する同じ音の大きさのレベルを得るように調節され得る。そのような実験的に判定されたパラメータ値は、記憶デバイス上に（例えば、ルックアップテーブルとして）電子的に記憶され得る。いくつかの実装では、ルックアップテーブルは、２つのウィング（同じ角度である場合もあれば、同じ角度ではない場合もある）の様々な組の位置に対応するパラメータ値を記憶し得る。いくつかの実装では、標的音響分布は、例えば、高周波ドライバ２２５を通して放出する音響出力のエネルギーと対応する中間範囲ドライバ２１５から放出する音響出力のエネルギーとの比率として、表され得る。
【００３６】
プロセスの動作は、１つ以上のパラメータに従って、第１及び第２の音響トランスデューサのうちの少なくとも１つを調節することを更に含む（４３０）。関連付けられた制御信号は、１つ以上のプロセッサによって生成されて、音響トランスデューサ（複数可）に送信され得る。いくつかの実装では、これは、シートの乗員がヘッドレストウィングを調節するとき、結果として、リアルタイムで又はほぼリアルタイムで、自動的に調節されている音響トランスデューサの出力をもたらす。そのような自動調節は、ヘッドレストウィングの変化した位置により、任意の手動調節の必要性を除去するか、又は少なくとも低減させ得る。
【００３７】
本明細書に記載される機能性又はその部分、及びその様々な修正（以下「機能」）は、少なくとも部分的にコンピュータプログラム製品（例えば、１つ以上のデータ処理装置（例えば、プログラム可能プロセッサ、コンピュータ、複数のコンピュータ、及び／又はプログラム可能論理構成要素など）の動作による実行のための、又はその動作を制御するための、１つ以上の非一時的機械可読媒体などの情報担体において有形に具現化されたコンピュータプログラム）を介して実装され得る。
【００３８】
コンピュータプログラムは、コンパイル又は解釈された言語を含む任意の形態のプログラム言語で書き込まれ得、それは、スタンドアローンプログラムとして、又はコンピューティング環境の使用に好適なモジュール、構成要素、サブルーチン、若しくは他の単位として含む任意の形態で配備され得る。コンピュータプログラムは、１つのコンピュータ上で、又は１つのサイトにおける複数のコンピュータ上で実行されるように配備されるか、又は複数のサイトにわたって配信されて、ネットワークによって相互接続され得る。
【００３９】
機能の全部又は一部を実装することと関連した動作は、較正プロセスの機能を実施するために１つ以上のコンピュータプログラムを実行する１つ以上のプログラム可能なプロセッサによって実施され得る。機能の全部又は一部は、特殊目的論理回路（例えば、ＦＰＧＡ及び／又はＡＳＩＣ（特定用途向け集積回路））として実装され得る。
【００４０】
コンピュータプログラムの実行に好適なプロセッサとしてはまた、例として、一般的及び特殊目的マイクロプロセッサの両方、並びに任意の種類のデジタルコンピュータの１つ以上のプロセッサが挙げられる。一般的に、プロセッサは、読み出し専用メモリ、ランダムアクセスメモリ、又はそれらの両方から命令及びデータを受信することになる。コンピュータの構成要素は、命令を実行するためのプロセッサ、並びに命令及びデータを記憶するための１つ以上のメモリデバイスを含む。
【００４１】
具体的に本明細書に記載されていない他の実施形態もまた、以下の特許請求の範囲内にある。
【００４２】
例えば、いくつかの実装は、中間範囲ドライバを維持しつつ、高周波数ドライバを省略し得る。そのような場合、上述のプロセスは、枢動可能なウィングの位置における変化に起因する、中間範囲ドライバと聴取者の耳との間の伝達関数における変化を説明するように中間範囲ドライバの出力を調節して、それによって、実質的に一定又は均一な聴取経験を維持するために利用され得る。つまり、ヘッドレストの２つの中間範囲ドライバは、アレイとして使用され得、ドライバの出力は、ビーム形成プロセスを介して操舵され得、これによって、標的音響分布がウィングの様々な位置に対して達成される。いくつかの実装では、中間範囲ドライバは、車両シートの異なる部分に（例えば、背もたれ１５４に）配置され得る。
【００４３】
本明細書に記載される異なる実装の要素は、特に上に記載されない他の実施形態を形成するために組み合わされ得る。要素は、それらの動作に悪影響を及ぼすことなく、本明細書に記載される構造から除かれ得る。更にまた、様々な別個の要素は、本明細書に記載される機能を実施するために、１つ以上の個々の要素と組み合わされ得る。
【符号の説明】
【００４４】
１００  ヘッドレスト
１０２  開口
１０４  支持ロッド
１５４  背もたれ
１６０  ウィング
２００  ヘッドレスト
２０５  ヘッドレストウィング
２０７  枢軸
２１０  ハウジング
２１５  中間範囲ドライバ
２２０  音響チャネル
２２５  ドライバ
２３０  ドライバ
３００  回路
３０５  ソース
３１０  クロスオーバーフィルタ
３１５  イコライザー
３２０  イコライザー
３２５  イコライザー
３３０  増幅器
３５５  クロスオーバーフィルタ
３６０  コンデンサ
３６５  誘導器
【図１】
2019532557.tif 000003
【図２Ａ】
2019532557.tif 000004
【図２Ｂ】
2019532557.tif 000005
【図３Ａ】
2019532557.tif 000006
【図３Ｂ】
2019532557.tif 000007
【図４】
2019532557.tif 000008
【国際調査報告】
2019532557.tif 000009
2019532557.tif 000010
2019532557.tif 000011